(57)【特許請求の範囲】
【請求項１】
乗降口間に渡って延びるデッキボード本体および前記デッキボード本体の長手方向端部に設けられ、移動手摺が入り込む移動手摺入込口が形成され、前記デッキボード本体に対して前記移動手摺の移動方向にスライド可能なデッキボード可動部を有するデッキボードと、
前記デッキボード本体に対する前記デッキボード可動部のスライドを規制するスライド規制部と、
前記移動手摺入込口に設けられ、前記移動手摺入込口に入り込む前記移動手摺の部分の周囲を覆い、前記デッキボード可動部に対して前記移動手摺の移動方向にスライド可能なインレットガードと、
前記移動手摺が前記移動手摺入込口に入り込む方向についての前記インレットガードの移動を検出するインレットスイッチと、
前記移動手摺が前記移動手摺入込口に入り込む方向とは反対の方向について前記デッキボード可動部を付勢する付勢装置と
を備え、
前記スライド規制部は、前記インレットスイッチが前記インレットガードの移動を検出する場合に、前記デッキボード本体に対する前記デッキボード可動部のスライドの規制を解除し、
前記付勢装置は、前記デッキボード可動部に固定されて前記デッキボード可動部から下方に延びた下延部と、前記下延部よりも前記デッキボード本体の長手方向外側に配置されたローラと、一端部が前記下延部に接続され、中間部が前記ローラに巻き掛けられたワイヤと、前記ワイヤの他端部に接続された錘とを有し、前記錘の重力によって、前記移動手摺が前記移動手摺入込口に入り込む方向とは反対の方向について前記デッキボード可動部を付勢することを特徴とする乗客コンベヤの欄干装置。
【請求項２】
前記スライド規制部は、磁力によって前記デッキボード本体に対する前記デッキボード可動部のスライドを規制する電磁石と、前記電磁石への電力の供給を制御する電力供給制御装置とを有していることを特徴とする請求項１に記載の乗客コンベヤの欄干装置。
【請求項３】
前記デッキボード可動部における前記デッキボード本体と重なる部分には、複数の溝が形成され、
前記デッキボード本体における前記デッキボード可動部と重なる部分には、前記溝に入り込む複数の櫛部が形成されていることを特徴とする請求項１または請求項２に記載の乗客コンベヤの欄干装置。
【発明の詳細な説明】
【技術分野】
【０００１】
この発明は、デッキボードの移動手摺入込口に移動手摺が入り込む乗客コンベヤの欄干装置に関する。
【背景技術】
【０００２】
従来、移動手摺入込口が形成されたデッキボードと、移動手摺入込口に設けられ、移動手摺入込口に入り込む移動手摺の部分の周囲を覆い、デッキボードに対して移動手摺の移動方向にスライド可能なインレットガードと、移動手摺が移動手摺入込口に入り込む方向についてのインレットガードの移動を検出するインレットスイッチとを備え、インレットスイッチがインレットガードの移動を検出する場合に、移動手摺の移動を停止するエスカレータの欄干装置が知られている。手などの異物が移動手摺とインレットガードとの間の隙間に進入する場合に、異物がインレットガードに当たることによって、インレットガードが移動し、インレットスイッチがインレットガードの移動を検出して、移動手摺の移動が停止する。（例えば、特許文献１参照）。
【先行技術文献】
【特許文献】
【０００３】
【特許文献１】特開２００８−１２０５１２号公報
【発明の概要】
【発明が解決しようとする課題】
【０００４】
しかしながら、インレットスイッチがインレットガードの移動を検出してから移動手摺の移動が停止するまでの間に、異物が移動手摺とインレットガードとの間の隙間に巻き込まれてしまうという問題点があった。
【０００５】
この発明は、異物が移動手摺とインレットガードとの間の隙間に巻き込まれてしまうことを抑制することができる乗客コンベヤの欄干装置を提供するものである。
【課題を解決するための手段】
【０００６】
この発明に係る乗客コンベヤの欄干装置は、乗降口間に渡って延びるデッキボード本体およびデッキボード本体の長手方向端部に設けられ、移動手摺が入り込む移動手摺入込口が形成され、デッキボード本体に対して移動手摺の移動方向にスライド可能なデッキボード可動部を有するデッキボードと、デッキボード本体に対するデッキボード可動部のスライドを規制するスライド規制部と、移動手摺入込口に設けられ、移動手摺入込口に入り込む移動手摺の部分の周囲を覆い、デッキボード可動部に対して移動手摺の移動方向にスライド可能なインレットガードと、移動手摺が移動手摺入込口に入り込む方向についてのインレットガードの移動を検出するインレットスイッチと、移動手摺が移動手摺入込口に入り込む方向とは反対の方向についてデッキボード可動部を付勢する付勢装置とを備え、スライド規制部は、インレットスイッチがインレットガードの移動を検出する場合に、デッキボード本体に対するデッキボード可動部のスライドの規制を解除し、付勢装置は、デッキボード可動部に固定されてデッキボード可動部から下方に延びた下延部と、下延部よりもデッキボード本体の長手方向外側に配置されたローラと、一端部が下延部に接続され、中間部がローラに巻き掛けられたワイヤと、ワイヤの他端部に接続された錘とを有し、錘の重力によって、移動手摺が移動手摺入込口に入り込む方向とは反対の方向についてデッキボード可動部を付勢する。
【発明の効果】
【０００７】
この発明に係る乗客コンベヤの欄干装置によれば、インレットスイッチがインレットガードの移動を検出する場合に、デッキボード可動部がデッキボード本体に対してスライド可能となるので、異物が移動手摺とインレットガードとの間の隙間に巻き込まれてしまうことを抑制することができる。
【図面の簡単な説明】
【０００８】
【図１】この発明の実施の形態１に係るエスカレータの要部を示す側面図である。
【図２】図１のデッキボードの内部を示す平面図である。
【図３】図１のデッキボードを示す斜視図である。
【図４】図１のスライド規制部を示すブロック図である。
【図５】図１のデッキボード可動部がデッキボード本体に対してスライドした状態を示す図である。
【発明を実施するための形態】
【０００９】
実施の形態１．
図１はこの発明の実施の形態１に係るエスカレータの要部を示す側面図である。図において、エスカレータ（乗客コンベヤ）は、乗降口間に渡って循環移動する踏段１と、踏段１の幅方向外側に設けられた欄干装置（乗客コンベヤの欄干装置）２とを備えている。
【００１０】
欄干装置２は、デッキボード２１と、デッキボード２１の上方に設けられた欄干２２と、欄干２２に設けられた移動手摺２３とを備えている。
【００１１】
図２は図１のデッキボード２１の内部を示す平面図である。デッキボード２１は、乗降口間に渡って延びたデッキボード本体２１１と、デッキボード本体２１１の長手方向端部に設けられたデッキボード可動部２１２とを有している。デッキボード可動部２１２には、移動手摺２３が入り込む移動手摺入込口が形成されている。デッキボード本体２１１は、移動手摺２３の移動方向に延びた一対のガイドレール２１３を有している。デッキボード可動部２１２は、ガイドレール２１３に案内される４個のガイドシュー２１４を有している。これにより、デッキボード可動部２１２は、デッキボード本体２１１に対して移動手摺２３の移動方向について、所定位置と、所定位置よりもデッキボード本体２１１における長手方向内側の位置である退避位置との間でスライド可能となっている。
【００１２】
図１に示すように、欄干装置２は、デッキボード本体２１１に対するデッキボード可動部２１２のスライドを規制するスライド規制部２４と、移動手摺入込口に設けられ、デッキボード可動部２１２に対して移動手摺２３の移動方向にスライド可能なインレットガード２５と、移動手摺２３が移動手摺入込口に入り込む方向についてのインレットガード２５の移動を検出するインレットスイッチ２６と、移動手摺２３が移動手摺入込口に入り込む方向に反対の方向についてデッキボード可動部２１２を付勢する付勢装置２７とをさらに備えている。
【００１３】
図３は図１のデッキボード２１を示す斜視図である。デッキボード可動部２１２は、移動手摺入込口に入り込む移動手摺２３の部分の周囲を覆っている。デッキボード可動部２１２の幅方向の寸法は、デッキボード本体２１１の幅方向よりも僅かに小さくなっている。デッキボード可動部２１２は、デッキボード本体２１１の内側に挿入可能となっている。デッキボード可動部２１２におけるデッキボード本体２１１と重なる部分には、複数の溝２１５が形成されている。デッキボード本体２１１におけるデッキボード可動部２１２と重なる部分には、溝２１５に入り込む複数の櫛部２１６が形成されている。これにより、デッキボード本体２１１とデッキボード可動部２１２との間の隙間に異物が進入することを抑制することができる。溝２１５および櫛部２１６は、デッキボード可動部２１２の移動方向に延びて形成されている。
【００１４】
図４は図１のスライド規制部２４を示すブロック図である。スライド規制部２４は、磁力によってデッキボード本体２１１に対するデッキボード可動部２１２のスライドを規制する電磁石２４１と、電磁石２４１への電力の供給を制御する電力供給制御装置２４２とを有している。電磁石２４１は、デッキボード本体２１１に対して固定されている。電磁石２４１は、デッキボード可動部２１２の位置が所定位置の場合に、デッキボード可動部２１２を吸引可能となる。
【００１５】
図１に示すように、付勢装置２７は、デッキボード可動部２１２に固定されてデッキボード可動部２１２から下方に延びた下延部２７１と、下延部２７１よりもデッキボード本体２１１の長手方向外側に配置されたローラ２７２と、一端部が下延部２７１に接続され、中間部がローラ２７２に巻き掛けられたワイヤ２７３と、ワイヤ２７３の他端部に接続された錘２７４とを有している。錘２７４の重力によって、移動手摺２３が移動手摺入込口に入り込む方向に反対の方向について、デッキボード可動部２１２が付勢されている。
【００１６】
次に、欄干装置２の動作について説明する。図５は図１のデッキボード可動部２１２がデッキボード本体２１１に対してスライドした状態を示す図である。手などの異物が移動手摺２３とインレットガード２５との間の隙間に進入した場合、移動手摺２３が移動手摺入込口に入り込む方向についてインレットガード２５が移動し、インレットスイッチ２６がインレットガード２５の移動を検出する。
【００１７】
インレットスイッチ２６による検出信号は、エスカレータ制御盤（図示せず）に送信され、エスカレータ制御盤は、移動手摺２３の移動を停止する。また、インレットスイッチ２６の検出信号は、電力供給制御装置２４２に送信され、電磁石２４１への電力の供給が停止される。これにより、デッキボード本体２１１に対するデッキボード可動部２１２のスライドの規制が解除される。これにより、デッキボード可動部２１２がインレットガード２５とともに移動手摺２３が移動手摺入込口に入り込む方向について移動可能となる。その結果、デッキボード可動部２１２が所定位置から退避位置に移動し、移動手摺２３とインレットガード２５との間の隙間に異物が巻き込まれることが抑制される。
【００１８】
移動手摺２３とインレットガード２５との間の隙間に進入した異物が取り除かれた場合、デッキボード可動部２１２は付勢装置２７の付勢力によって退避位置から所定位置に移動し、インレットガード２５も元の位置に戻る。インレットスイッチ２６は、インレットガード２５が元の位置に戻ることを検出する。インレットスイッチ２６による検出信号は、エスカレータ制御盤（図示せず）に送信され、エスカレータ制御盤は、移動手摺２３の移動を開始する。また、インレットスイッチ２６の検出信号は、電力供給制御装置２４２に送信され、電磁石２４１への電力の供給が開始される。これにより、デッキボード本体２１１に対するデッキボード可動部２１２のスライドが規制される。
【００１９】
以上説明したように、この発明の実施の形態１に係る欄干装置２によれば、インレットスイッチ２６がインレットガード２５の移動を検出する場合に、デッキボード可動部２１２がデッキボード本体２１１に対してスライド可能となるので、異物が移動手摺２３とインレットガード２５との間の隙間に巻き込まれてしまうことを抑制することができる。
【００２０】
また、欄干装置２は、移動手摺２３が移動手摺入込口に入り込む方向とは反対の方向についてデッキボード可動部２１２を付勢する付勢装置２７を備えているので、移動手摺２３とインレットガード２５との間に進入した異物が取り除かれた場合に、デッキボード可動部２１２を元の位置に戻すことができる。
【００２１】
また、スライド規制部２４は、磁力によってデッキボード本体２１１に対するデッキボード可動部２１２のスライドを規制する電磁石２４１と、電磁石２４１への電力の供給を制御する電力供給制御装置２４２とを有しているので、電磁石２４１への電力の供給を停止することによって、デッキボード本体２１１に対するデッキボード可動部２１２のスライドの規制を容易に解除することができる。
【００２２】
また、デッキボード可動部２１２におけるデッキボード本体２１１と重なる部分には、複数の溝２１５が形成され、デッキボード本体２１１におけるデッキボード可動部２１２と重なる部分には、溝２１５に入り込む複数の櫛部２１６が形成されているので、デッキボード本体２１１とデッキボード可動部２１２との間の隙間に異物が進入することを抑制することができる。
【００２３】
なお、上記実施の形態１では、乗客コンベヤの欄干装置として、エスカレータの欄干装置を例に説明したが、動く歩道の欄干装置であってもよい。
【００２４】
また、上記実施の形態１では、付勢装置２７が、下延部２７１、ローラ２７２、ワイヤ２７３およびおもり２７４を有する構成について説明したが、これに限らず、例えば、デッキボード本体２１１とデッキボード可動部２１２との間に設けられ、移動手摺２３が移動手摺入込口に入り込む方向に反対の方向についてデッキボード可動部２１２を付勢するばねを有する付勢装置２７の構成であってもよい。
【符号の説明】
【００２５】
１  踏段、２  欄干装置（乗客コンベヤの欄干装置）、２１  デッキボード、２２  欄干、２３  移動手摺、２４  スライド規制部、２５  インレットガード、２６  インレットスイッチ、２７  付勢装置、２１１  デッキボード本体、２１２  デッキボード可動部、２１３  ガイドレール、２１４  ガイドシュー、２１５  溝、２１６  櫛部、２４１  電磁石、２４２  電力供給制御装置、２７１  下延部、２７２  ローラ、２７３  ワイヤ、２７４  錘。
【図１】
0006305318.tif 000002
【図２】
0006305318.tif 000003
【図３】
0006305318.tif 000004
【図４】
0006305318.tif 000005
【図５】
0006305318.tif 000006